(57)【要約】      （修正有）【課題】硬貨などの被搬送物と線接触させることのできる断面形状で、かつ心線を埋設した構造としつつ、全長に渡って均一な剛性、かつ継ぎ目のない無端ベルトの提供。【解決手段】周方向に連続する心線６を埋設した通常の無端ベルト１ａを形成する。通常の無端ベルト１ａは、有端ベルトの両端の接続による心線６の結び目や継ぎ目がなく、全長に渡って均一な剛性、かつ継ぎ目のない構造である。ベルト背面４をベルト幅方向の中央部が外向きに膨出する曲面状に研磨する。ベルト背面４に硬貨を線接触させることができる。【選択図】図１
2008247538.tif 000002
【特許請求の範囲】
【請求項１】
周方向に連続する心線が埋設された無端ベルトであって、前記心線が埋設された環状のベルト本体を研磨することにより、ベルト背面が、ベルト幅方向の中央部を外向きに膨出させた曲面状に形成されたことを特徴とする無端ベルト。
【請求項２】
前記ベルト本体のうち、心線よりも外周側が断面半円状に研磨されたことを特徴とする請求項１に記載の無端ベルト。
【請求項３】
内周側にベルト歯を有する歯付ベルトとされたことを特徴とする請求項１又は２に記載の無端ベルト。
【発明の詳細な説明】
【技術分野】
【０００１】
本発明は、例えばレジスターやＡＴＭ、ＣＤ、券売機、両替機、スロットマシンに装備されて硬貨やコインなどの被搬送物を搬送する搬送ベルトとして使用される無端ベルトに関するものである。
【背景技術】
【０００２】
例えばレジスターに装備されて硬貨を搬送する搬送ベルトは、そのベルト背面に硬貨を接触させて搬送している。この搬送ベルトは、無端丸ベルトを採用することによってベルト背面と硬貨とを線接触させることが多く、これにより、搬送中の硬貨がある程度以上の抵抗を受けたとき、その硬貨がベルト背面に対して滑って、硬貨の詰まりを防止するようになっている。
【０００３】
無端丸ベルトは、その横断面の輪郭が曲線であるため、一旦、押出成形によって有端の丸ベルトを形成し、これを所望の長さに切断してから両端を接続することにより、無端状に形成されている。さらに、無端丸ベルトの伸びや破断を防ぐため、無端丸ベルトに心線を埋設することがあり、特許文献１は、有端の丸ベルトの両端から心線を露出させ、この心線を結んだ後、その結び目の周囲をゴムで覆って無端状に接続するようにした無端丸ベルトを開示している。
【特許文献１】特開平５−３４０４４５（段落番号００１９、００２０、図３）
【発明の開示】
【発明が解決しようとする課題】
【０００４】
ところが、特許文献１の無端丸ベルトは、有端の丸ベルトの両端を接続する際に心線を結んでいるので、接続部の剛性が他の部位よりも大きくなって、ベルトの剛性を不均一にしやすく、さらに、心線の結び目を後からゴムで覆っているので、接続部と他の部位との継ぎ目が不連続になるおそれがある。
【０００５】
本発明は、硬貨などの被搬送物と線接触させることのできる断面形状で、かつ心線を埋設した構造としつつ、全長に渡って均一な剛性、かつ継ぎ目のない無端ベルトの提供を目的とする。
【課題を解決するための手段】
【０００６】
上記目的を達成するために、本発明に係る無端ベルトは、周方向に連続する心線が埋設された無端ベルトであり、心線が埋設された環状のベルト本体を研磨することにより、ベルト背面を、ベルト幅方向の中央部が外向きに膨出する曲面状に形成したものである。
【０００７】
上記構成によれば、心線を埋設した環状のベルト本体を構成してから、このベルト本体を研磨することにより、ベルト背面を曲面状に形成するので、無端ベルトを全長に渡って均一な剛性、かつ継ぎ目のない構造としつつ、そのベルト背面に被搬送物を線接触させることができる。つまり、一旦、周方向に連続する心線を埋設した通常の無端ベルトを形成した後、そのベルト背面を曲面状に研磨すればよいので、横断面の輪郭が曲線であっても、押出成形した有端のベルトの両端を接続するという工程を経る必要がなく、心線の結び目や継ぎ目を設けることなく無端状に構成することができる。
【０００８】
また、例えばベルト本体を断面円形に研磨して無端丸ベルトに形成してもよいが、ベルト本体のうち、心線よりも外周側を断面半円状に研磨するようにすれば、ベルト本体の研磨によって心線の配置スペースを減少させることなく、ベルト背面に被搬送物を線接触させることができる。これにより、より多くの心線を埋設して、無端ベルトの強度を高めると共に、その伸びをより小さくすることができる。
【０００９】
さらに、本発明の無端ベルトは、歯付ベルトや平ベルト、Ｖベルト、Ｖリブドベルトなどあらゆるベルトを採用することができるが、特に、内周側にベルト歯を有する歯付ベルトは、そのベルト歯の噛み合い及び高強度の心線により、より正確な速度で被搬送物を搬送することができる。しかも、歯付ベルトは、押出成形して両端を接続するという手法を採用し得ないので、環状のベルト本体を研磨してベルト背面を曲面状に形成するという本発明の構成を採用するのが特に好適である。
【発明の効果】
【００１０】
以上のとおり、本発明によると、心線を埋設した環状のベルト本体を研磨して、そのベルト背面を曲面状に形成するので、心線を埋設しつつ硬貨などの被搬送物と線接触させることができ、しかも、全長に渡って均一な剛性、かつ継ぎ目のない無端ベルトに構成することができる。
【発明を実施するための最良の形態】
【００１１】
以下、本発明に係る無端ベルトを実施するための最良の形態について、図面を用いて説明する。図１は本発明に係る無端ベルトの部分斜視図である。
【００１２】
無端ベルト１は、その内周側に形成されたベルト歯２がプーリ歯と噛み合って、周方向に旋回することにより、硬貨３などの被搬送物をベルト背面４に線接触させて搬送する無端歯付ベルトであり、ゴムからなる環状のベルト本体５に周方向に連続する心線６を埋設すると共に、ベルト歯２の表面を歯布７で覆ってなり、そのベルト背面４が、ベルト幅方向の中央部を外向きに膨出させた曲面状に形成されている。
【００１３】
この無端ベルト１は、一旦、図１に二点鎖線で示すように、ベルト背面４ａが平面状である通常の無端歯付ベルト１ａを構成し、その後、外周側の角部８を除去するように、ベルト本体５のうち、心線６よりも外周側を半円形に加工された砥石を当てるなどして断面半円状に研磨することによって形成されている。
【００１４】
心線６は、ガラス繊維を撚り合わせたガラス心線などであり、周方向に複数周する螺旋状で、かつベルト歯２の歯底の近傍に位置するようにベルト本体５に埋設されている。この心線６は、無端ベルト１に作用する張力を受け持ち、無端ベルト１の伸びを抑えると共にその破断を防止する。歯布７は、例えばナイロン製の布をゴム糊などに浸漬させてなり、ベルト本体５の内周面を覆うようにしてベルト歯２を補強する。
【００１５】
次に、本発明の無端ベルトによる硬貨の搬送について説明する。図２は無端ベルトによる硬貨の搬送を示す斜視図である。
【００１６】
無端ベルト１は、その往ベルト９ａ及び復ベルト９ｂのうちの往ベルト９ａが搬送面１０の上面側を通るよう、一対の歯付プーリ１１ａ、１１ｂに掛巻され、搬送面１０に載せられた硬貨３をベルト背面４に線接触させて搬送する。硬貨３は、ベルト背面４に線接触することによって、搬送中にある程度以上の抵抗を受けたとき、ベルト背面４に対して滑るので、無理な押し込みによる硬貨３の詰まりが防止される。
【００１７】
なお、硬貨３は、無端ベルト１に乗り上げることによって傾斜するが、無端ベルト１のベルト背面４が断面半円状であることにより、硬貨３の傾斜角度に関わらずベルト背面４に線接触する。
【００１８】
上記構成によれば、無端ベルト１のベルト背面４を断面半円状に形成するので、硬貨３などの被搬送物と線接触させることができる。これにより、被搬送物が抵抗を受けたときには、被搬送物をベルト背面４に対して滑らせることができるので、被搬送物の詰まりを防止しつつ搬送することができる。
【００１９】
また、心線６よりも外周側のみを断面半円状に形成するので、十分な量の心線６を配置することができ、無端ベルト１の伸び及び破断を防ぐことができる。しかも、心線６を埋設した通常の無端歯付ベルト１ａを研磨することによってベルト背面４を半円状にするので、曲面を有する有端のベルトを押し出し形成してその両端を接続するという工程が不要であり、全長に渡って剛性を均一に設定し、かつ継ぎ目のない無端ベルト１が得られる。
【００２０】
なお、本発明は、上記の実施の形体に限定されるものではなく、本発明の範囲内において、適宜変更を加えることができる。例えば、被搬送物は硬貨３に限らず、無端ベルト１によってあらゆるものを搬送することができる。ベルト背面４のＲの大きさは、特に限定されるものではなく、砥石のＲ寸法を変更するなどして、所望の大きさのＲに適宜設定すればよい。また、無端ベルト１として、歯付ベルト以外にも、平ベルトやＶベルト、Ｖリブドベルトなどのあらゆる種類のベルトを採用することができる。さらに、心線６よりも内周側をも研磨してもよく、これにより、無端丸ベルトを採用するようにしてもよい。
【図面の簡単な説明】
【００２１】
【図１】本発明に係る無端ベルトの部分斜視図
【図２】無端ベルトによる硬貨の搬送を示す斜視図
【符号の説明】
【００２２】
１    無端ベルト
２    ベルト歯
３    硬貨
４    ベルト背面
５    ベルト本体
６    心線
【図１】
2008247538.tif 000003
【図２】
2008247538.tif 000004